(57)【要約】      （修正有）【課題】水分子のクラスター構造分解機能を備えた整水器を提供する。【解決手段】水分子の分子振動領域における固有振動数に等しい固有振動数の電磁波を発生する電磁波発生エレメント１と、電磁波発生エレメントをシール状態で収納し、電磁波発生エレメントからの電磁波を周囲に放射する筒状の電磁波発生エレメント収納ケース２とを備え、電磁波発生エレメント収納ケースの下部には、電磁波発生エレメント収納ケースを水中に沈めた立設状態に維持する重錘部３１が設けられており、立設状態において、水中の水分子を電磁波により共振させてクラスター構造を有効に分解する。【選択図】図４
0003234261.tif 000002
【実用新案登録請求の範囲】
【請求項１】
水分子の分子振動領域における固有振動数に等しい固有振動数の電磁波を発生する電磁波発生エレメントと、
該電磁波発生エレメントをシール状態で収納し、当該電磁波発生エレメントからの電磁波を周囲に放射する筒状の電磁波発生エレメント収納ケースとを備え、
上記電磁波発生エレメント収納ケースの下部には、上記電磁波発生エレメント収納ケースを水中に沈めた立設状態に維持する重錘部が設けられていることを特徴とする整水器。
【請求項２】
電磁波発生エレメント収納ケースの下部には、電磁波発生エレメント収納ケースを立設状態に支持する支持台が設けられ、
電磁波発生エレメント収納ケースを水中に沈めた立設状態に維持する重錘部は、当該支持台の底部に一体に設けられていることを特徴とする請求項１記載の整水器。
【請求項３】
電磁波発生エレメント収納ケース内の一端側には空間部、他端側には重錘部が設けられ、
電磁波発生エレメント収納ケースは、一端側空間部を上方、他端側重錘部を下方にした浮遊状態で水中に沈めた立設状態に維持される
ようになっていることを特徴とする請求項１記載の整水器。
【請求項４】
電磁波発生エレメントが焦電機能および遠赤外線放射機能を持つ焦電物質を備え、電解源としても作用する
ようになっていることを特徴とする請求項１、２又は３記載の整水器。
【考案の詳細な説明】
【技術分野】
【０００１】
本願考案は、水分子クラスターの分解機能を備えた整水器の構成に関するものである。
【背景技術】
【０００２】
最近では、フィルタ手段による浄化機能に加え、電解電極による電解水生成機能（酸性水生成、アルカリ水生成など）を備えた各種の整水器が提案されている（例えば特許文献１を参照）。そして、これらの整水器で整水された水（機能水）については、その性質に応じて幾つかの作用が公認されている。例えば、アルカリイオン水では継続飲用で胃腸症状の改善効果が、また、弱アルカリイオン水では油脂の乳化や蛋白質の分解など有機物汚れの除去効果が、さらに、酸性水では病原細菌やウイルスに対する殺菌効果が認められている。
【０００３】
しかし、これら整水器で処理された水（機能水）は、いずれも単にペーハー値が異なるだけの電解水にすぎず、水の性質を左右する水分子自体のクラスター構造を改変したものではない。水は一般に分子構造Ｈ２Ｏとして表されるが、実際の水の状態は非常に複雑であり、水分子Ｈ２Ｏを構成する水素Ｈ２と酸素Ｏの原子間の結合や、水分子同士のつながり方や集まり具合は動的であって（いわゆる熱揺らぎ）、一時として静的な状態にはない。また、水分子は一つの双極子であるために、水分子同士の間には相互作用が生じ、溶存している他のイオンとの間にも種々の相互作用が生じる。また水は通常Ｈ２Ｏ分子が５〜６個結合した分子クラスターとなっているが、他の元素分子や不純物があると、それらの分子が当該クラスター中に入り込み、さらに数十の分子と結合してより大きなクラスターを形成する。飲料水中における各種のミネラルなども同様の作用を果たす。このようなクラスター構造は、容易に分解することができない。
【０００４】
水分子Ｈ２Ｏ単体の大きさは極めて小さく、水は、そのような水分子Ｈ２Ｏ単体が均質に充満している水分子の海の状態と同水分子単体の海の中にそれとは性質を異にする不均一な大小クラスター構造の水分子集団が多数存在する状態とでは、同じ水とは言いながらも水自体の性質が相当に異なったものとなる。限りなくクラスター構造のない水や限りなくクラスター構造が小さい水の粘度は低く、さらさらしているので、飲料水としても美味しく、飲みやすい。また、浸透力が高く、飲用後の血液中への吸収性も高い。野菜等植物栽培用の給水として使用した場合にも、根からの吸収性が高く、成長促進に寄与する。給水中に含まれる肥料の吸収性も高い。また、限りなく水分子単体での水に近くなり、水分子単体の密度が高くなり、水全体としての表面張力が小さくなる。そのため、蒸発しにくく、蒸発による水量の減少度合が低下する。また、界面活性効果も高くなる。
【０００５】
したがって、このような良好な性質の水を得ようとすると、必然的に上記のような水のクラスター構造を分解（破砕）することが必要となる。
【０００６】
水のクラスター構造を小さくすることについて、従来から交番磁界(磁場)をかけたり、多孔質ガラス膜を通すと、水のクラスター構造が小さくなるとの提案もなされている（交番磁界をかける例として、例えば特許文献２の構成を参照、多孔質ガラス膜を通す例として、例えば特許文献３の構成を参照）。
【先行技術文献】
【特許文献】
【０００７】
【特許文献１】特開２０１７ー３９１０４号公報
【特許文献２】実用新案登録第３１９２２８５号公報
【特許文献３】特開２００５ー２７９３２７号公報
【考案の概要】
【考案が解決しようとする課題】
【０００８】
しかし、上記クラスター部分における元素分子間の結合力は強く、単に交番磁界をかけたとしても分解することはできない。水は本来反磁性体であり、磁化しない。むしろ、磁場の強いところを避けようとする性質がある（モーゼ効果）。磁気振動によるクラスター構造破砕効果の説明がなされることもあるが、反磁性体である水分子に極性が変化する交番磁界をかけても水分子に振動が起こるわけではない。したがって、クラスター構造の分解、微細化は、不可能である。
【０００９】
また、多孔質ガラス膜を通すと言っても、水分子のクラスター構造の大きさは不均一であり、分子レベルでのフィルター分離は容易ではない。また、同構成では、必要な水分子の量が減少するし、何よりクラスター構造そのものを分解することができるわけではない。
【００１０】
このような事情から、一部ではクラスター構造微細化手段として、粒子衝突型加速器なども用いられているが、その場合、装置が大掛かりになり、高コストであり、民生用などには向かない。また、交番磁界発生装置や粒子衝突型加速器を使用する場合には、当然ながら商用電源が必要になる。上記水分子のクラスターは、一旦分解しても分解エネルギーがなくなると、再結合する可能性があり、いつまでも分解された状態に在るわけではない。したがって、交番磁界発生装置や粒子衝突型加速器を用いる場合、継続的な駆動が必要で、ランニングコストが大きくなる。
【００１１】
本願考案は、このような事情に基づいてなされたもので、水分子の分子振動領域における固有振動数に等しい固有振動数の電磁波を発生する電磁波発生手段を設け、同電磁波発生手段を水中に立設させることによって、水分子に対して同電磁波発生手段からの水分子の固有振動数に等しい固有振動数の電磁波を照射し、水分子部分で分子振動領域の共振（共鳴）を生じさせることによって、クラスター構造を有効に分解するようにした整水器を提供することを目的とするものである。
【課題を解決するための手段】
【００１２】
本願考案は、上記の課題を解決するための手段として、次のような構成を備えて構成されている。
【００１３】
（１）請求項１の考案の課題解決手段
請求項１の考案の課題解決手段は、水分子の分子振動領域における固有振動数に等しい固有振動数の電磁波を発生する電磁波発生エレメントと、該電磁波発生エレメントを収納し、当該電磁波発生エレメントからの電磁波を周囲に放射する筒状の電磁波発生エレメント収納ケースとを備え、上記電磁波発生エレメント収納ケースの下部に、上記電磁波発生エレメント収納ケースを水中に沈めた立設状態に維持する重錘部を設けたことを特徴としている。
【００１４】
水分子の分子振動領域における固有振動数に等しい固有振動数の電磁波を発生する電磁波発生エレメントを筒状の電磁波発生エレメント収納ケース内に収納すると共にその下部に所定値以上の重量の重錘部を設け、電磁波発生エレメント収納ケースを水中に沈めた立設状態に維持すると、所望の用途に用いられる水中において電磁波発生エレメントから水分子の分子振動領域における固有振動数に等しい固有振動数の電磁波を周囲に放射させることができる。水中の水分子に当該水分子の分子振動領域における固有振動数に等しい固有振動数の電磁波が照射されると、水分子部分で有効に分子振動領域の共振（共鳴）が発生し、同共振により増大された振動のエネルギーでクラスター構造が効果的に分解される。
【００１５】
すでに述べたように、水は一般に分子構造Ｈ２Ｏとして表されるが、実際の水の状態は非常に複雑であり、水分子Ｈ２Ｏを構成する水素Ｈ２と酸素Ｏの原子間の結合や、水分子同士のつながり方や集まり具合は動的であって（いわゆる熱揺らぎ）、一時として静的な状態にはない。また水分子は一つの双極子であるために、水分子同士の間には相互作用が生じ、さらに溶存している他のイオンとの間にも種々の相互作用が生じる。また水は通常Ｈ２Ｏ分子が５〜６個結合した分子クラスターとなっているが、他の元素分子や不純物があると、それらの分子が当該クラスター中に入り込み、さらに数十の分子と結合してより大きなクラスターを形成する。飲料水中における各種のミネラルなども同様の作用を果たす。このようなクラスター構造は、容易に分解することができない。これに関し、すでに述べたように、交番磁界をかけたり、多孔質ガラス膜などの特殊なフィルターを通すと、水のクラスターが小さくなるとの主張もなされている。しかし、クラスター部分の分子間の結合力は強く、交番磁界をかけても分解することはできないし、多孔質ガラス膜などの特殊なフィルターを通してもクラスター構造そのものを分解することができるわけではない。
【００１６】
水分子Ｈ２Ｏ単体の大きさは極めて小さく、水は、そのような水分子Ｈ２Ｏ単体が均質に充満している水分子の海の状態と同水分子単体の海の中にそれとは性質を異にする不均一な大小クラスター構造の水分子集団が多数存在する状態とでは、同じ水とは言いながらも水自体の性質が相当に異なったものとなる。限りなくクラスター構造のない水や限りなくクラスター構造が小さい水の粘度は低く、さらさらしているので、飲料水としても美味しく、飲みやすい。また、浸透力が高く、飲用後の血液中への吸収性も高い。野菜等植物栽培用の給水として使用した場合にも、根からの吸収性が高く、成長促進に寄与する。もちろん、給水中に含まれる肥料の吸収性も高い。また、水分子単体での水に近くなり、密度が高くなり、水全体としての表面張力が小さくなる。そのため、蒸発しにくく、蒸発による水量減少度合が低下する。
【００１７】
したがって、このような良好な性質の水を得ようとすると、必然的に上記のような水のクラスター構造を破砕、分解することが必要となる。
【００１８】
水分子Ｈ２Ｏは、分子領域において固有の振動数を有し、常に振動している。したがって、上述のようにして同水分子Ｈ２Ｏに同じ固有振動数の電磁波を照射すると、上記クラスター構造の水分子Ｈ２Ｏ部分で有効に分子振動領域の共振（共鳴）が起こり、振動のエネルギーが増大する。そして、同クラスター構造の水分子Ｈ２Ｏ部分に分子振動領域の共振が起きると、当該分子振動領域において効果的な分子・原子間の振動、伸縮、変角が生じ、水分子相互間又は他元素分子との分子間結合力が弱まって、当該クラスター構造が効果的に破砕されるようになる。その結果、限りなくクラスター構造のない水および限りなくクラスター構造の小さい水を得ることができる。
【００１９】
もちろん、上記水分子のクラスターは、一旦分解しても、分解エネルギーがなくなると再び再結合する可能性があり、いつまでも分解状態に在るわけではない。しかし、上記電磁波発生エレメントからは、繰り返し継続して共振現象を起こす電磁波が放射されているので、常に有効なクラスター分解作用が維持されている。したがって、殆ど新たなクラスターが生じる恐れはなくなる。
【００２０】
すなわち、上記構成の場合、例えば水分子の分子振動領域における固有振動数に等しい固有振動数の電磁波として、同固有振動数に一致する遠赤外線が採用される。そして、電磁波発生エレメントは、例えば電源を必要とせずに遠赤外線放射手段として機能する自発分極作用のある焦電物質を採用して構成されている。また、焦電物質には、さらに必要に応じて周囲からの遠赤外線を吸収して、当該焦電物質を加温する加温物質が組み合わされる。焦電物質の自発分極作用は、加温されるとより活発になり、遠赤外線の放射効率が高くなる。したがって、電源が無くても電磁波発生エレメントからは、繰り返し継続して有効な共振現象を起こす電磁波が放射される。
【００２１】
また、上記構成の場合、電磁波発生エレメントおよび電磁波発生エレメントを収納し、電磁波発生エレメントからの電磁波を周囲に放射する電磁波発生エレメント収納ケースは、例えば所定の長さのロール構造および筒状に構成されていて、当該整水器が設置される水槽や水タンクにおける水の深さに所望に対応できるようになっている。したがって、その時の水量、水の深さに応じた効率の良いクラスター分解作用を実現することができる。
【００２２】
また、上記の構成の場合、重錘部の重量は、当該整水器の設置形態に応じた重量に設定される。例えば、水槽や水タンクの底に完全に沈めて移動しないように設置する場合には、後述するように上記電磁波発生エレメント収納ケースの下部に支持台を設けて、同支持台部分にケース全体に作用する浮力を超える十分な重量の重錘部を設ける。一方、お風呂等の浴槽の水中に浮遊状態で沈めて使用する場合には、上部側よりも下部側を相対的に重くするように下部側に必要な重量の重錘部を設ける。
【００２３】
（２）請求項２の考案の課題解決手段
請求項２の考案の課題解決手段は、上記請求項１の考案の課題解決手段の構成において、電磁波発生エレメント収納ケースの下部には、電磁波発生エレメント収納ケースを立設状態に支持する支持台が設けられ、電磁波発生エレメント収納ケースを水中に沈めた立設状態に維持する重錘部は、当該支持台の底部に一体に設けられていることを特徴としている。
【００２４】
このように、電磁波発生エレメント収納ケースの下部に電磁波発生エレメント収納ケースを立設状態に支持する支持台を設け、電磁波発生エレメント収納ケースを水中に沈めた立設状態に維持する重錘部を当該支持台の底部に一体に設けた構成にすると、例えば水タンク等の所定の水槽内の底部に転倒の恐れのない安定した状態で設置することができるようになる。その結果、長期に亘って有効なクラスター構造分解機能を継続させることができるようになる。
【００２５】
（３）請求項３の考案の課題解決手段
請求項３の考案の課題解決手段は、上記請求項１の考案の課題解決手段の構成において、電磁波発生エレメント収納ケース内の一端側には空間部、他端側には重錘部が設けられ、電磁波発生エレメント収納ケースは、一端側空間部を上方、他端側重錘部を下方にした浮遊状態で水中に沈めた立設状態に維持されるようになっていることを特徴としている。
【００２６】
このように、筒状の電磁波発生エレメント収納ケース内の一端側に空間部、他端側に重錘部を設け、それによって筒状の電磁波発生エレメント収納ケースが一端側空間部を上方、他端側重錘部を下方にした浮遊状態で水中に沈められた立設状態に維持されるようにすると、例えばお風呂や温泉などのお湯中において自由に移動可能な状態で設置することができる。したがって、入浴中においても邪魔になることがない。
【００２７】
（４）請求項４の考案の課題解決手段
請求項４の考案の課題解決手段は、上記請求項１、２又は３の考案の課題解決手段の構成において、電磁波発生エレメントが焦電機能および遠赤外線放射機能を持つ焦電物質を備え、電解源としても作用するようになっていることを特徴としている。
【００２８】
この考案の課題解決手段の場合、電磁波発生エレメントが焦電機能および遠赤外線放射機能を持つ焦電物質を備え、電解源である電解エレメントとしても作用するようになっている。その結果、電磁波発生エレメントは、水分子の分子振動領域における固有振動数に等しい固有振動数の電磁波である遠赤外線を発生し、水分子部分に分子振動領域の共振を起こすことによって、水分子部分のクラスター構造を効果的に破砕、分解する。そして、その場合において、当該整水器が設置された水槽容器がステンレス等の金属製容器である場合には、上記クラスター構造の分解作用と同時に、当該整水器を正電極、金属製の容器を負電極とする電解作用が実現され、還元作用も有効に実現される。
【考案の効果】
【００２９】
以上の結果、本願考案の整水器によると、商用電源等を必要とすることなく、長期に亘って適切な水分子のクラスター構造分解作用を発揮し、低コストで、効率良くクラスター構造を分解することができるようになる。
【００３０】
さらに、その場合において、当該整水器が設置された水槽容器がステンレス等の金属製容器である場合には、上記クラスター構造の分解作用と同時に、当該整水器を正電極、金属製の容器を負電極とする電解作用が実現され、還元作用も実現される。
【図面の簡単な説明】
【００３１】
【図１】本願考案の第１の実施の形態に係る整水器の全体的な構成を示す正面図である。
【図２】同第１の実施の形態に係る整水器の全体的な構成を示す分解斜視図である。
【図３】同第１の実施の形態に係る整水器の電磁波発生エレメントの構成を示す斜視図である。
【図４】同第１の実施の形態に係る整水器の全体的な構成を示す図１のＡ−Ａ線切断部での拡大断面図である。
【図５】同第１の実施の形態に係る整水器の支持台部分の構成を示す図４同様の拡大断面図である。
【図６】同第１の実施の形態に係る整水器の電磁波発生エレメント要部の構成を示す拡大斜視図である。
【図７】同第１の実施の形態に係る整水器の使用形態の一例（屋上の給水用高置水槽内に設置した例）を示す断面図である。
【図８】同第１の実施の形態に係る整水器の図７の使用形態におけるクラスター構造分解作用を示す説明図（機構図）である。
【図９】本願考案の第２の実施の形態に係る整水器の全体的な構成を示す断面図である。
【図１０】同第２の実施の形態に係る整水器の使用形態の一例（浴槽内に設置した例）を示す断面図である。
【図１１】本願考案の第３の実施の形態に係る整水器の還元作用を示す図（機構図）である。
【考案を実施するための形態】
【００３２】
以下、添付の図面を参照して、本願考案の第１〜第３の実施の形態にかかる整水器の構成及び作用について詳細に説明する。
【００３３】
＜本願考案の第１の実施の形態に係る整水器について＞
先ず本願考案の第１の実施の形態に係る整水器は、焦電機能および遠赤外線放射機能を持った電磁波発生物質を備え、電磁波発生源として機能する電磁波発生エレメントを電磁波透過性の高い合成樹脂製の電磁波発生エレメント収納ケース内に収納して構成されており、当該整水器を所定の水槽内に設置し、同水槽内の水の水分子に対して電磁波発生エレメントからの電磁波を照射することによって、水分子部分に分子振動領域の共振現象を発生させ、水分子のクラスター構造を破砕、分解することによって、水槽内の水の性質の改質を行うようにしたことを特徴としている。
【００３４】
電磁波発生エレメントから放射される電磁波としては、水分子の分子振動領域にける固有振動数に等しい固有振動数を持つ遠赤外線が採用されており、それによってクラスター構造の水分子部分にクラスター構造を破砕、分解するに有効な分子振動領域の共振を発生させ、同共振作用によってクラスター構造を有効に破砕、分解するようにしている。
【００３５】
電磁波発生源である電磁波発生エレメントは、ロール構造に巻成された半径方向に複数層のメッシュ部材よりなり、メッシュ部には遠赤外線照射手段として機能する焦電物質よりなる電磁波発生物質と、水槽内の水からの遠赤外線を吸収し、電磁波発生物質を加温する加温手段および遠赤外線放射手段としても機能する黒体物質との２種の物質よりなる複合的な構成の電磁波発生物質が設けられている。
【００３６】
電磁波発生物質を構成する焦電物質はトルマリン鉱石等の自発分極機能を有する極成結晶体により形成され、また、加温機能を有する黒体物質はカーボンナノチューブ等の極めて遠赤外線放射率が高い物質により形成されている。焦電物質はその自発分極機能を利用して強度の高い遠赤外線を水槽中の水の水分子に照射し、水分子との間で分子振動領域の共振現象を生ぜしめ、水槽中の水の水分子のクラスター構造を破砕、分解する。これにより、水分子のクラスター構造を限りなく微細化し、用途に応じた良好な性質の水を得ることができるようにしている。
【００３７】
（基本的な構成）
まず図１〜図４は、同第１の実施の形態に係る整水器１０の全体的な構成を示しており、また図５は、同整水器１０における要部の構成を拡大して示している。
【００３８】
同整水器１０は、大きく分けると、電磁波発生源として機能し、電磁波の放射作用を果たす電磁波発生エレメント１と、該電磁波発生エレメント１を収納している電磁波発生エレメント収納ケース２と、該電磁波発生エレメント収納ケース２を立設状態に支持する支持台３と、上記電磁波発生エレメント収納ケース２の上端側開口部を閉塞する蓋（キャップ）４との４つの部分から構成されている。
【００３９】
電磁波発生エレメント１は、可撓性および復元性のある、所定厚、所定幅、所定長さのメッシュ部材１１と、該メッシュ部材１１のメッシュ部の表面にコーティングされた電磁波発生物質１２と、所定の重量を有する金属製の芯材１３により構成されている。メッシュ部材１１は、たとえば図６に拡大して示されるような格子構造の繊維構造体よりなり、縦および横両方向に交差して延びる格子部１１ａ，１１ａ・・とそれら相互の間に位置して開放された格子間空間１１ｂ，１１ｂ・・を備えて構成されている。そして、この実施の形態の場合、上記電磁波発生物質１２は、それら各格子部１１ａ，１１ａ・・の外周面全体に含浸する状態で均一にコーテンィングされている。
【００４０】
芯材１３は、メッシュ部材１１の幅に対応した長さを有する所定の直径のステンレス製（ＳＵＳ３０４等）の円柱体よりなり、メッシュ部材１１の一端が連結されている。メッシュ部材１１は、芯材１３を中心として、図３及び図４のような半径方向に複数層のロール構造体に巻成されている。芯材１３は、次に述べる電磁波発生エレメント収納ケース２の中心にあって、上記メッシュ部材１１を半径方向に複数層のロール構造体に巻成すると同時に、電磁波発生エレメント収納ケース２の立設状態での重心位置を決める錘の作用を果たしている。
【００４１】
なお、この芯材１３は、後述する第３の実施の形態のように、当該整水器１０が設置された水槽容器（図７の高置水槽２０を参照）がステンレス等の金属製容器である場合において、上記電磁波発生物質１２が電磁波（遠赤外線）の照射によるクラスター構造の分解作用と同時に、電解源構成物質として当該整水器１０を正電極、金属製の水槽容器を負電極とする電解作用を生じさせる場合（図１１を参照）には、当該電解源構成物質である焦電物質からの負電荷を集めて帯電させる負電荷収集部（分極部材）として機能するようになっている（図１１の電解機構図を参照）。第３の実施の形態の場合、芯材１３自体を必ずしも電極として機能させているものではないが、同実施の形態の場合には、上記巻成構造の電磁波発生エレメント１が電解状態においては電解エレメント１として、また、電磁波発生エレメント収納ケース２が電解ケース２としても作用するので、当該電解エレメント１を収納した電解ケース２中において発生する負電荷を中心軸部分に集めることによって、浮遊する負電荷を無くし、電荷の中和を防ぐことにより、電解ケース２部分への正電荷の帯電機能を高める機能を果たす。
【００４２】
電磁波発生エレメント収納ケース２は、上下方向に所定の長さを有する所定の直径の合成樹脂製（例えば塩化ビニル製）の円筒体よりなり、同円筒体内に上記ロール構造に巻成された電磁波発生エレメント１を収納し、下端側を支持台３上に立設状態で支持すると共に上端側に合成樹脂製（例えば塩化ビニル製）の蓋（例えば上部が半球面形状のＣ型キャップ）４を嵌合接着している。この場合、同円筒体よりなる電磁波発生エレメント収納ケース２の上端部は、所定のシール部材２１で確実にシールされている。蓋４は、等径の筒部４ａおよび球面部４ｂよりなり、等径の筒部４ａを電磁波発生エレメント収納ケース２の上端部に嵌合して接着剤で液密に接合固定している。球面部４ｂの内側にはシール部材２１との間で半球状の空間４ｃが形成されている。
【００４３】
支持台３は、例えば図１、図２、図４に示すように、所定の重量の重錘部３１と、該重錘部３１の上部にあって、上記電磁波発生エレメント収納ケース２の下端部を嵌合支持する電磁波発生エレメント収納ケース嵌合部３２ａを備えた電磁波発生エレメント収納ケース支持部３２とからなっている。重錘部３１は、所定の直径、所定の厚さの金属製の円形プレート（例えばステンレス製の円形プレート）により構成されている。電磁波発生エレメント収納ケース支持部３２は、重錘部３１と同じ直径、略同じ厚さの合成樹脂製の円形プレート（例えば塩化ビニル製の円形プレート）よりなり、その上面側中央部に所定の直径（口径）、所定の板厚、所定の高さの筒状の電磁波発生エレメント収納ケース嵌合部３２ａを一体成型して構成されている。電磁波発生エレメント収納ケース支持部３２上面と電磁波発生エレメント収納ケース嵌合部３２ａ外周面との間のコーナー部には、周方向に所庭の間隔で複数（４組）の補強用リブ３２ｂ，３２ｂ・・が設けられている。
【００４４】
重錘部３１の上面と電磁波発生エレメント収納ケース支持部３２の下面との間には、重錘部３１および電磁波発生エレメント収納ケース支持部３２と同じ直径のシール用のラバー製パッキン３３が介設されている。重錘部３１、電磁波発生エレメント収納ケース支持部３２、それらの中間のラバー製パッキン３３には、それぞれ外周側周方向の同じ位置に所定の間隔を保って上下に共通に貫通する複数（４組）のボルト挿通孔３４，３４・・が設けられており、これら複数（４組）のボルト挿通孔３４，３４・・の下部側から上部側にそれぞれ複数本の連結ボルト３５，３５・・を挿通し、それら各連結ボルトボルト３５，３５・・の上端側ネジ部３５ｂ，３５ｂ・・部分にそれぞれナット（六角ナット）３６，３６・・を螺合して締結することにより、ラバー製パッキン３３を介して重錘部３１と電磁波発生エレメント収納ケース支持部３２が相互に重合状態で一体化されている。３５ａ，３５ａ・・は、各連結ボルト３５，３５・・のボルト軸下端側大径の頭部を示している。
【００４５】
この場合、各連結ボルト３５，３５・・のボルト軸上端側のネジ部３５ｂ，３５ｂ・・は、図示のように、上記締結状態におけるナット１個分又はそれ以上に突出するように長く形成されていて、例えば図５に示すように、さらにもう１個分別のナット３７，３７・・を螺合固定することができるようになっている。このもう１個分別のナット３７，３７・・のそれぞれは、重錘部３１の重量を大きくする重量増大用の追加重錘として利用されるようになっている。したがって、これらのナット３７，３７・・は、それら全てを同時に螺合するのではなく、必要に応じて１個、２個、３個、又は４個と個別に選択してボルト軸上端側のネジ部３５ｂ，３５ｂ・・に螺合される。これにより、整水器１０の重量は、電磁波発生エレメント１、電磁波発生エレメント収納ケース２、芯材１３、蓋４、電磁波発生エレメント収納ケース支持部３２、ラバー製パッキン３３、重錘部３１、連結ボルト３５，３５・・、ナット３６，３６・・の合計重量に、さらにナット３７，３７・・の重量が加算されることになり、水槽内底部に安定した沈積状態で設置することができる。もちろん、重錘部３１の重量を最初から十分に大きなものにしておくことも可能であり、その場合にはナット３７，３７・・の追加による重量調整は不要である。また、上記ナット３７，３７・・の追加に変えて、又はそれと合わせて、連結ボルト３５，３５・・のボルト軸自体の長さを長くする一方、複数の重錘部３１，３１・・を準備し、それらの各々を組み合わせる（多段に重合する）ことによって任意の重量に設定することも可能である。ボルト軸上端のネジ部３５，３５・・部分には、使用される用途に応じ、安全性を顧慮して、袋ナットを螺合する。
【００４６】
（電磁波発生物質１２の構成と作用）
ところで、この実施の形態における上記電磁波発生物質１２は、例えば遠赤外線放射手段として機能する焦電物質と、水槽内の水Ｗからの遠赤外線を吸収し、焦電物質を加温する加温手段および遠赤外線放射手段として機能する黒体物質との２種の物質により構成されている。具体的には、遠赤外線放射手段として機能する焦電物質をベースとし、同焦電物質に水Ｗからの遠赤外線（水温に応じた遠赤外線）を吸収し、焦電物質を加温する加温手段および遠赤外線放射手段として機能する黒体物質を所定の重量比で均一に混合して構成されている。
【００４７】
ベースとなる焦電物質は、ある種のトルマリン鉱石（電気石）に代表される自発分極作用を有する極性結晶体の数μ程度の微粉末により構成されている。トルマリン鉱石（以下、単にトルマリンという）の中には、たとえばＳｉＯ２：３６．６％、Ａｌ２Ｏ３：３４．０５％、ＦｅＯ３：１４．１５％、ＭｇＯ：０．９％、その他の組成を有し、結晶構造が捻れていて（構成原子の正負の電荷の重心が一致せず）自発分極作用によって永久的な電気極性を示すものがある。このような性質を有する結晶体が極性結晶体である。
【００４８】
極性結晶体であるトルマリンは、その結晶構造において、先の尖った方が＋極、フラットな方が−極に分極しており、外部電荷（イオン）の影響による結晶表面での電気的な中和がなければ、永久に当該＋−の電気的な極性を維持する。この場合、上記結晶を構成している原子の位置は、温度に対する依存性があり、温度を変えると構成原子の位置も変化する。そして、それに伴って自発分極のレベル（＋−極間の電位差、すなわち焦電レベル）も変化する。一般に結晶体を冷やすと焦電レベルは低下し、加熱すると焦電レベルは高くなる。したがって、結晶体を所定の温度に加温し、焦電レベルを高くすると、＋−極間の電位差（電圧）が高くなる。この電位差（電圧）は＋−極間の絶縁レベルが高いほど高く、かつ安定して維持される。また、これにより所定レベルの電界が形成され、それに応じた電荷が蓄積され、全体として強い誘電体となる。
【００４９】
極性結晶体であるトルマリンは、その焦電効果に伴う有効な遠赤外線の放射機能（電磁波放射機能）を有しており、しかも、その波長域は５μから１ｍｍで、ちょうど水分子Ｈ２Ｏの分子振動領域の固有振動数に等しい固有振動数の波長６〜１５μを持っている。しかも、遠赤外線の放射率も９２．７％と非常に高い。したがって、上記極性結晶体全体（電解エレメント１全体）としての焦電レベル、電解レベルを上げ、水分子Ｈ２Ｏに対して、よりエネルギーレベルの高い遠赤外線を放射するようにすると、水分子Ｈ２Ｏ部分で分子振動領域の効果的な共振現象を発生させることができる。
【００５０】
すなわち、水は、一般に分子構造Ｈ２Ｏとして表されるが、実際の水の状態は非常に複雑であり、水分子Ｈ２Ｏを構成する水素Ｈ２と酸素Ｏの原子間の結合や、水分子同士のつながり方や集まり具合は動的であって（いわゆる熱揺らぎ）、一時として静的な状態にはない。また、水分子は一つの双極子であるために、水分子同士の間には相互作用が生じ、さらに溶存している他のイオンとの間にも種々の相互作用が生じる。水は、通常Ｈ２Ｏ分子が５〜６個結合した分子クラスターとなっているが、他の元素分子や不純物があると、それらの分子が当該クラスター中に入り込み、さらに数十の分子と結合してより大きなクラスターを形成する。飲料水中における各種のミネラルなども同様の作用を果たす。このようなクラスター構造は、容易に分解することができない。
【００５１】
これに関し、すでに述べたように、交番磁界（磁場）をかけたり、多孔質ガラス膜などの特殊なフィルターを通すと、水のクラスターが小さくなるとの主張もなされている。しかし、クラスター部分の分子間の結合力は強く、交番磁界（磁場）をかけても分解することはできないし、多孔質ガラス膜などの特殊なフィルターを通してもクラスター構造そのものを分解することができるわけではない。
【００５２】
水分子Ｈ２Ｏ単体の大きさは極めて小さく、水は、そのような水分子Ｈ２Ｏ単体が均質に充満している水分子の海の状態と同水分子単体の海の中にそれとは性質を異にする不均一な大小クラスター構造の水分子集団が多数存在する状態とでは、同じ水とは言いながらも水自体の性質が相当に異なったものとなる。限りなくクラスター構造のない水や限りなくクラスター構造が小さい水の粘度は低く、さらさらしているので、飲料水としても美味しく、飲みやすい。また、浸透力や溶解力が高く、飲用後の血液中への吸収性も高い。野菜等植物栽培用の給水として使用した場合にも、根からの吸収性が高く、成長促進に寄与する。もちろん、給水中に含まれる肥料成分の吸収性も高い。また、水分子単体での水に近くなり、密度が高くなり、水全体としての表面張力が小さくなる。そのため、蒸発しにくく、蒸発による水量減少度合が低下する。保湿性も向上する。界面活性作用も向上する。
【００５３】
したがって、このような良好な性質の水を得ようとすると、必然的に上記のような水のクラスター構造を分解（破砕、分解）することが必要となる。
【００５４】
そこで、この実施の形態では、上記電磁波発生エレメント１の焦電物質に遠赤外線の放射機能を有するものを採用している。遠赤外線は電磁波であり、都合の良いことに、上記分子振動領域において水分子Ｈ２Ｏの固有振動数に一致する波長帯域６〜１５μを有している。したがって、水分子Ｈ２Ｏに対して同波長帯域６〜１５μの遠赤外線を放射すると、クラスター構造の水分子Ｈ２Ｏ部分で効果的に分子振動領域の共振が起こる。
【００５５】
そして、同水分子Ｈ２Ｏ部分に分子振動領域の共振が起きると、当該分子振動領域において分子・原子間の振動、伸縮、変角が生じ、水分子相互間又は他元素分子との分子間結合力が弱まって、クラスター構造が物理的（機械的）に破砕、分解されるようになる。この結果、上述した限りなくクラスター構造のない水や限りなくクラスター構造が小さい良質の水を得ることができる。このように、クラスター構造が物理的（機械的）に破砕、分解されると、後述の電解時における水分子Ｈ２Ｏの酸素分子Ｏと水素分子Ｈ２の分離も促進される（図１１の第３の実施の形態を参照）。この作用は、電源（電気エネルギー）も不要で、安価に構成することができる。
【００５６】
しかし、この場合、上記電磁波（遠赤外線）発生用の誘電エネルギーは、上述した焦電物質の焦電機能のみに依存している。したがって、好ましくは、この焦電物質の焦電機能を、より効果的にバックアップする構成の付加が望まれる。
【００５７】
そこで、この実施の形態では、上記電磁波発生エレメント１を、その外周面全体に焦電物質を備えた半径方向に複数層のメッシュ部材１１よりなるものとし、焦電作用および遠赤外線放射作用を果たす焦電物質の量、作用する面積を極めて大きなものとする一方、内層側のメッシュ部の焦電物質からの電荷や遠赤外線が外層側のもので遮蔽されることなく半径方向外方に有効に放出、放射されるようにしている。したがって、実用性に耐える必要にして十分な焦電作用および遠赤外線放射作用を得ることができる。
【００５８】
また、それを前提として、上記電磁波発生エレメント収納ケース２を電磁波を透過しやすく、しかも帯電性の高い合成樹脂製（塩化ビニル製）の円筒体により構成しており、当該半径方向に複数層のメッシュ部材１１よりなる電磁波発生エレメント１は、同円筒形状の電磁波透過性、帯電性の高い合成樹脂製の電磁波発生エレメント収納ケース２内に巻成状態でコンパクトに収納し、その外周面に効率良く所定の極性の電荷を密度良く帯電させるようにしている。
【００５９】
さらに、上記焦電物質を加温して焦電機能を効果的に向上させる黒体物質は、例えばカーボンナノチューブの数μ程度の微粉末により構成されている。周知のように遠赤外線の放射率が最も高いのは黒体であり（１００％）、完全放射体と呼ばれている。しかし、厳格な意味での黒体は概念上の物体であり、現実には存在しない。現在、工業的に量産可能な物質（材料）の中で、最も黒体に近い放射率を持っているのがカーボンナノチューブである（９９％）。したがって、上記極性結晶体であるトルマリンの微粉末にカーボンナノチューブの微粉末を所定の重量比で混合すると、上記電磁波発生物質１２は全体として黒体に近くなり、遠赤外線の吸収率および放射率共に非常に高いものとなる。
【００６０】
したがって、所定の水槽中に当該整水器１０が沈漬状態で設置されると（後述する図７の状態を参照）、所定の温度の水槽中の水Ｗから放射される遠赤外線が当該電磁波発生物質１２中のカーボンナノチューブよりなる黒体物質に効率良く吸収され、同黒体物質の温度が上昇して電磁波発生物質１２中の焦電物質であるトルマリン結晶体を加温し、トルマリン結晶体の温度が十分な自発分極温度に維持される。その結果、トルマリン結晶体の自発分極作用が活溌になって焦電レベルが高くなり、水分子Ｈ２Ｏの分子振動領域の固有振動数に等しい固有振動数の波長６〜１５μを持っている遠赤外線の放射率がさらに向上する。その結果、水Ｗ中における分子振動領域の共振効果も大きく向上し、水分子クラスター構造の破砕、分解効果が向上する（図８の機構図を参照）。また、電磁波発生エレメント収納ケース２の帯電電位も高くなる。
【００６１】
しかも、この作用は、円筒体構造の電磁波発生エレメント収納ケース２内にロール構造に巻成された半径方向に複数層のメッシュ部材１１の格子部１１ａ，１１ａ・・の各部で均等に起こるので（この場合にも電磁波発生エレメント１の各部がメッシュ構造となっているので、周囲の水Ｗからの遠赤外線が外層部から内装部まで均一に入射する）、それらが相乗した電磁波発生エレメント１全体での焦電レベルの上昇は相当に大きなものとなる。その結果、電磁波発生エレメント１から周囲に放射される電磁波の強度が十分に高くなり、また電磁波発生エレメント収納ケース２内には、多量の電荷が発生し、電荷密度が高くなる。その結果、電解時の電極電位＋Ｖも十分に高められる（図１１参照）。
【００６２】
また、この実施の形態では、電磁波発生エレメント１を収納している円筒状の電磁波発生エレメント収納ケース２が透明又は半透明な塩化ビニル材（又はアクリル材）により形成されている。したがって、遠赤外線を透過させやすい。また透明又は半透明な塩化ビニル材（又はアクリル材）は、それ自体合成樹脂材の中でも特に遠赤外線の透過率が高い。したがって、上記電磁波発生エレメント１の電磁波発生物質１２中の焦電物質には、電磁波発生エレメント収納ケース２全周の水Ｗからの遠赤外線が有効に入射するようになる。その結果、上記トルマリン極性結晶体は、さらに分極作用が活発になって、上記電磁波発生レベルを向上させると共に、さらに電解時の＋−極間の電位差、電界レベルをさらに高くし、より多量の電荷を発生させるようになる。
【００６３】
この実施の形態の場合、上記焦電物質であるトルマリン等の極成結晶体の微粉末と黒体物質であるカーボンナノチューブの微粉末との混合による電磁波発生物質１２の形成は、一例として、所定の重量比で絶縁性の高いバインダー樹脂材中に混合し、加熱溶融させて、上記メッシュ部材１１の格子部１１ａ，１１ａ・・の表面全体に含浸状態で均一にコーティングする方法が採用されている。このようにすると、バインダー樹脂材により極性結晶体表面の絶縁性が確保され、周囲イオンの付着による中和作用がなくなることから、＋−極間の電位差、電界レベルを高く維持することができる。また、このバインダー樹脂材中への混合時においては、例えば所定の静電界をかけることにより、上記トルマリン極性結晶体各々の極性（結晶方向）を揃える構成が採用される。このようにすると、結晶相互の電位の打ち消しがなくなり、さらに焦電物質の焦電機能を向上させることができ、より高い誘電電位、電界電位を実現することができる。また、バインダー樹脂材の付着含浸により、メッシュ部材１１が円筒体構造の電磁波発生エレメント収納ケース２内において適正なロール構造体を維持するために必要な剛性および復元性（スプリングバック性）が適切に実現される。
【００６４】
なお、この実施の形態の場合、ベースとなるメッシュ部材１１の一例として、例えばポリエステル等の熱可塑性樹脂にシリカ（ＳｉＯ２）を主成分とする遠赤外線放射物質を混練して得られる樹脂組成物を用い、同樹脂組成物を紡糸し、織り上げてメッシュ部材としたものを使用している。したがって、メッシュ部材１１は、引っ張り強度が高く、安定したロール構造体に維持することができる。また、ベース繊維素材それ自体としても、シリカ（ＳｉＯ２）を主成分とする遠赤外線放射物質による均一な遠赤外線の放射機能を得ることができる。
【００６５】
（実際の設置形態について）
以上のように構成された本実施形態に係る整水器１０は、例えば一例として、図７に示すように、マンションの屋上２４等に設置された高置水槽２０内の底部に完全な沈漬状態（全体を水Ｗ中に沈めた状態）で使用される。同高置水槽２０には、例えば地上側受水槽から開閉バルブ２２a、給水ポンプ２２ｂを備えた給水管２２を介して所定の量の水道水が供給され、常時一定量の水Ｗが貯留されるようになっている。貯留水量の調節はフロートスイッチ２０ａを用いてなされる。貯留されている水Ｗは、開閉バルブ２３ａを備えた配水管２３を介して各戸に配水される。
【００６６】
同状態において、上記整水器１０は、上述した十分な重量の重錘部３１を備えた支持台３を介して、高置水槽２０内の底部に安定した状態で立設支持されており、高置水槽２０内に貯留された水Ｗには、電磁波発生エレメント収納ケース２内のロール構造の電磁波発生エレメント１から、電磁波エレメント収納ケース２を介して貯留された水Ｗ中の水分子Ｈ２Ｏに対して、分子振動領域において当該水分子Ｈ２Ｏの固有振動数に一致する波長帯域６〜１５μの遠赤外線が照射される。その結果、上述のように水分子Ｈ２Ｏ部分で効果的に分子振動領域の共振が起こる（図８を参照）。
【００６７】
そして、同水分子Ｈ２Ｏ部分で分子振動領域の共振が起きると、当該分子振動領域において分子・原子間の振動、伸縮、変角が生じ、水分子相互間又は他元素分子との分子間結合力が弱まって、クラスター構造が物理的（機械的）に破砕、分解される。その結果、上述した限りなくクラスター構造のない水および限りなくクラスター構造が小さい良質の水を得ることができる。
【００６８】
この水分子Ｈ２Ｏの固有振動数に一致する波長帯域６〜１５μの遠赤外線の照射は、電磁波発生エレメント１が電磁波発生エレメント収納ケース２の上端から下端までの全体に亘って配設されていることから、貯留されている水Ｗの水分子Ｈ２Ｏの全体に対して均一に生じることになり、極めて効率の良いクラスター構造の破砕、分解、微細化が可能となる。
【００６９】
この実施の形態に係る整水器１０は、上述した高置水槽２０に限らず、地上側の受水槽、また地下に設けた受水槽などにも全く同様に適用することができる。
【００７０】
また、上記遠赤外線による水分子Ｈ２Ｏのクラスター構造の破砕、分解、微細化については、水槽容器の素材が合成樹脂製のものであっても、金属製のものであっても全く問題なく実現することができる。したがって、この実施の形態の整水器１０は、各種の貯水槽、農業用及び工業用の各種ローリータンクなどにも所望に適用することができる。
【００７１】
また、露天風呂を含めた温泉等の入浴施設、健康ランド等の入浴施設などにも適用することができる。これら入浴施設の場合には、対象水の温度が高いので、上述した焦電物質の焦電効果が高くなり、より効果的に作用する。
【００７２】
＜第２の実施の形態に係る整水器について＞
次に、図９および図１０は、本願考案の第２の実施の形態に係る整水器の構成と作用を示している。
【００７３】
この実施の形態に係る整水器１０は、例えば図９に示すように、上記第１の実施の形態に係る整水器１０と同様の構成の電磁波発生エレメント１を同様の構成の電磁波発生エレメント収納ケース２内に収納し、その一端側の蓋４Ａ内に所定の容積の空間部４ｃを形成する一方、他端側の蓋４Ｂ内に重錘部４０を設け、電磁波発生エレメント収納ケース２は、一端側所定の容積の空間部４ｃを上方、他端側重錘部４０を下方にした浮遊状態で水中に沈めた立設状態に維持するように構成されている。
【００７４】
この実施の形態の場合には、筒状の電磁波発生エレメント収納ケース２の上下両端側開口部に共にシール部材２１，２１が設けられ、共通の構造でシールされている。そして、上記一端側空間部４ｃは、同シール材２１と蓋４Ａの球面部４ｂとの間に形成された半球状の空間となっている。蓋４Ａの等径の筒部４ａは、筒状の電磁波発生エレメント収納ケース２の一端部に接着剤を介して液密に接合一体化されている。他方、上記他端側重錘部４０は、同様のシール材２１と蓋４Ｂの球面部４ｂとの間に形成された半球状の空間４ｃを利用して、同半球状の空間４ｃ内に複数の小径の鉄球４０ａ，４０ａ・・を充填し、所定の凝固剤を介して固形化した構成のものとなっている。蓋４Ｂの等径の筒部４ａは、上記一端側の場合と同様に筒状の電磁波発生エレメント収納ケース２の他端部に接着剤を介して液密に接合一体化されている。
【００７５】
他端側重錘部４０と一端側空間部４ｃとの重量関係は、電磁波発生エレメント収納ケース２が、一端側空間部４ｃを上方、他端側重錘部４０を下方にした浮遊状態で完全に水中に沈み、他端側（重錘部４０側）の蓋４Ｂの下端（球面部４ｂ）が水槽の底部に着いた立設状態に維持される重量関係に設定されている。そして、この実施の形態に係る整水器１０は、例えば図１０に示すように、使用する水槽の一例として例えば家庭用の浴槽５が選ばれており、当該浴槽５内に貯留されたお湯ＨＷ中の水分子Ｈ２Ｏのクラスター構造を破砕、分解して、微細化するようにしたものである。もちろん、同整水器１０の設置は、通常当初の水Ｗの状態から行われるが、お湯ＨＷの状態になってから設置しても構わない。。
【００７６】
このように、筒状の電磁波発生エレメント収納ケース２内の一端側に浮力の高い空間部４ｃ、他端側に浮力の低い重錘部４０を設け、それによって筒状の電磁波発生エレメント収納ケース２が一端側空間部４ｃを上方、他端側重錘部４０を下方にした浮遊状態で水中に沈められた立設状態に維持されるようにすると、家庭のお風呂や銭湯、健康施設、温泉などの浴槽中（お湯中）において自由に移動可能な状態で設置することができる。したがって、入浴中においても邪魔になることがない。
【００７７】
この実施の形態の場合にも、図１０の浴槽５内に貯留されたお湯ＨＷの水分子Ｈ２Ｏには、電磁波発生エレメント収納ケース２内のロール構造の電磁波発生エレメント１から、電磁波発生エレメント収納ケース２を介して分子振動領域において当該水分子Ｈ２Ｏの固有振動数に一致する波長帯域６〜１５μの遠赤外線が効率よく照射される。その結果、お湯ＨＷ中の水分子Ｈ２Ｏ部分で効果的に分子振動領域の共振が起こる。そして、同水分子Ｈ２Ｏ部分で分子振動領域の共振が起きると、当該分子振動領域において分子・原子間の振動、伸縮、変角が生じ、水分子相互間又は他元素分子との分子間結合力が弱まって、クラスター構造が物理的（機械的）に破砕、分解される。その結果、上述した限りなくクラスター構造のないお湯ＨＷおよび限りなくクラスター構造が小さい良質のお湯ＨＷを得ることができる。
【００７８】
この水分子Ｈ２Ｏの固有振動数に一致する波長帯域６〜１５μの遠赤外線の照射は、電磁波発生エレメント１が電磁波発生エレメント収納ケース２の上端から下端までの全体に亘って配設されていることから、貯留されているお湯ＨＷの水分子Ｈ２Ｏの全体に対して均一に生じることになり、極めて効率の良いクラスター構造の破砕、分解、微細化が可能となる。
【００７９】
しかも、上記電磁波発生物質１２を構成している焦電物質の焦電機能（自発分極）は、温度依存性が高く、温度が高いほど焦電機能が活性化される。そして、上記電磁波発生エレメント１を収納している円筒状の電磁波発生エレメント収納ケース２は透明又は半透明な塩化ビニル材（又はアクリル材）により形成されている。したがって、遠赤外線を透過させやすい。したがって、この実施の形態の場合、上記電磁波発生エレメント１の電磁波発生物質１２中の焦電物質には、電磁波発生エレメント収納ケース２全周のお湯ＨＷからの遠赤外線が特に有効に入射するようになる。その結果、上記焦電物質を構成しているトルマリン極性結晶体は、きわめて分極作用が活発になって、電磁波発生レベルを大きく向上させると共に、さらに電解時の＋−極間の電位差、電界レベルをさらに高くし、より多量の電荷を発生させるようになる。
【００８０】
したがって、お湯ＨＷの場合には、水分子クラスターの破砕、分解機能、電解機能共に高くなる。
【００８１】
＜第３の実施の形態に係る整水器について＞
以上に説明した第１、第２の実施の形態に係る整水器１０は、同整水器１０が使用設置される水槽容器がステンレス等の金属製の容器である場合、上述したような水分子のクラスター構造を破砕、分解する機能のみに限らず、同クラスター構造の破砕、分解機能を前提として、例えば商用電源なしで有効な還元作用を果たす電解電極部材としても機能させることができ、水素水を生成させることもできる。
【００８２】
今図１１は、そのように構成した本願考案の第３の実施の形態に係る整水器１０の構成と電解作用（還元作用）を示している。この場合には、上述した屋上の高置水槽２０や浴槽５等の水槽部分がステンレス等の金属製の容器であることが前提であり、そのような場合には、上述した第１、第２の実施の形態に係る整水器１０の電磁波発生エレメント収納ケース２が正電極、高置水槽２０や浴槽５等の金属製容器部分が負電極となり、それら相互の間で電気分解が生じる。
【００８３】
この場合、電磁波発生エレメント収納ケース２は電解ケースとして機能し、また電磁波発生エレメント１は電解エレメントとして機能する。そして、電磁波発生エレメント（電解エレメント）１の電磁波発生物質（遠赤外線発生物質）１２中の焦電物質の焦電作用により外周面全体（表裏及び側面の全体）が正（＋）に帯電されるようになっており、負（−）電荷収集部を形成する芯材１３に比べて遥かに面積の広い電気分解用の正電極部を形成している。そのため、同電磁波発生エレメント収納ケース（電解ケース）２を形成する合成樹脂材には、帯電列で正側に偏位した塩化ビニル樹脂（又はアクリル樹脂）が選ばれている。これにより、電磁波発生エレメント収納ケース（電解ケース）２の広い外周面（電極面）に効率良く正の電荷が集積されるようになり、電気分解用の正電極として高い正電位を維持するようになる。
【００８４】
そして、この電解電極部材としての整水器（商用電源の要らない電解源を備えた電極部材）１０が、例えば図１１に示すように、金属製（ステンレス製）の高置水槽２０容器又は浴槽５容器内に設置された状態では、同電磁波発生エレメント収納ケース（電解ケース）２の広い外周面の全体が正電極（アノード）として、負電極（カソード）となる高置水槽２０容器又は浴槽５容器に対向することになり、それら相互の間に収容された導電性のある水Ｗ又はお湯ＨＷを電解質として電気分解可能な（還元可能な）、図１１に示すような電解系（電解機構）が形成され、水Ｗ又はお湯ＨＷ中の水分子Ｈ２Ｏの電気分解が行われる。そして、それにより正電極である電磁波エレメント収納ケース（電解ケース）２の外周面側（界面部）で電子ｅ−が奪われて水素Ｈ２と分離した酸素Ｏ２が析出する一方、負電極となる高置水槽２０容器又は浴槽５容器の容器壁の内周面側（界面部）に酸素Ｏ２を分離した水素Ｈ２が析出する。これが所定時間繰り返されることによって、当該水Ｗ又はお湯ＨＷ中に所定量の水素Ｈ２が生成され、酸化還元電位ＯＲＰが低下する。したがって、その水素生成量は、水Ｗ又はお湯ＨＷ中の酸化還元電位ＯＲＰの低下を測定することで確認することができる。
【００８５】
＜その他の実施の形態について＞
以上のように、本願発明の整水器１０は、クラスター構造の分解による水質の改善（向上）に限られることなく、電気分解による水素水の生成にも利用することができる。また、クラスター構造の分解による水質の改善（向上）、電気分解による水素水の生成に限らず、電源を準備できないが還元作用を必要とする各種の用途に利用することができる。
【００８６】
例えば、同整水器１０には、各種の不純物元素を含んだクラスター構造の水分子を水分子と分子レベルでの固有振動数を共通にする遠赤外線による共振現象を利用して破砕、分解する機能がある。この機能は、浮遊状態に在る水自体の汚れを分解、浄化するのみならず、容器壁の界面部における汚れをも効果的に除去する効果があるので、水槽内におけるクリーニング手段としても有効に機能する。したがって、同整水器１０を水槽内に設置して置くと、水垢が発生しにくく、非常に衛生的である。また、浴槽等において、浴槽との界面において機械的、電気化学的に付着している汚れをも効果的に除去することができ、浴槽のぬめりが発生しない。また、金属製容器の錆なども生じにくくなる。
【００８７】
さらに、上記構成の整水器１０は、水中に限らず、一定レベルの湿度のある空間、例えば野菜市場の野菜保存室などに設置することもできる。そのようにした場合、空気中の水分のクラスター構造が微細化され、野菜の保存性、生鮮性が向上する。
【符号の説明】
【００８８】
１は電磁波発生エレメント、２は電磁波発生エレメント収納ケース、３は支持台、４は蓋、４Ａは蓋、４Ｂは蓋、１０は整水器、１１はメッシュ部材、１２は電磁波発生物質、１３は芯材、３１は重錘部、３２は電磁波発生エレメント収納ケース支持部、４０は重錘部である。
【図１】
0003234261.tif 000003
【図２】
0003234261.tif 000004
【図３】
0003234261.tif 000005
【図４】
0003234261.tif 000006
【図５】
0003234261.tif 000007
【図６】
0003234261.tif 000008
【図７】
0003234261.tif 000009
【図８】
0003234261.tif 000010
【図９】
0003234261.tif 000011
【図１０】
0003234261.tif 000012
【図１１】
0003234261.tif 000013